(57)【要約】【課題】撮像画像の画質劣化が生じているにも関わらず撮影動作を継続するという問題を解決する。【解決手段】撮像素子２１の後方には温度センサ１０８を備え、スルー画表示中に撮像素子２１の温度測定を常時行い、測定結果をＭＰＵ１０１へ出力する。ＭＰＵ１０１は、温度センサ１０８から入力された撮像素子２１の温度ｔと、予め設定された閾値ｔｃとの比較を行なう。撮像素子２１の温度ｔが閾値ｔｃ以上になると、背面液晶モニタ２３に警告表示を行ない、所定時間、たとえば１５秒経過後に背面液晶モニタ２３へのスルー画表示を停止する。【選択図】図２
2007300607.tif 000002
【特許請求の範囲】
【請求項１】
撮像素子で撮像するとき、前記撮像素子周辺の温度と相関関係のある物理量を検出する検出手段と、
前記検出手段により検出された前記物理量が所定条件を満たしたとき、前記撮像素子や周辺回路の温度上昇を抑制するようにカメラの動作を変更する変更手段とを備えることを特徴とするカメラ。
【請求項２】
請求項１に記載のカメラにおいて、
前記撮像素子によるリアルタイム画像を表示する表示器をさらに備え、
前記物理量が所定条件を満たすまでは前記表示器にリアルタイム画像を表示し、
前記変更手段は、前記物理量が所定条件を満たしたとき、または前記物理量が所定条件を満たした後の所定時間経過後に、前記表示器のリアルタイム画像の表示を停止することを特徴とするカメラ。
【請求項３】
請求項２に記載のカメラにおいて、
前記撮像素子への被写体光の入射量を制御するシャッタをさらに備え、
前記変更手段は、前記シャッタにより前記被写体光の前記撮像素子への入射を中断して前記リアルタイム画像の表示を停止することを特徴とするカメラ。
【請求項４】
請求項２に記載のカメラにおいて、
前記変更手段は、前記表示器の画面を消灯して前記リアルタイム画像の表示を停止することを特徴とするカメラ。
【請求項５】
請求項１乃至４のいずれか一項に記載のカメラにおいて、
前記変更手段は、前記撮像素子による撮像のフレームレートを下げることを特徴とするカメラ。
【請求項６】
請求項１乃至５のいずれか一項に記載のカメラにおいて、
前記物理量が所定条件を満たしたとき、カメラの動作が変更されることを警告する警告手段をさらに備えることを特徴とするカメラ。
【請求項７】
撮像素子による撮像開始を指示する指示手段と、
前記撮像開始に伴い前記撮像素子によるリアルタイム画像を表示する表示器と、
前記撮像素子周辺の温度と相関関係のある物理量を検出する検出手段と、
前記指示手段により前記撮像開始が指示され、前記検出手段により検出された物理量が第１の所定条件を満たしたとき、または前記物理量が所定条件を満たした後の所定時間経過後に、前記表示器によるリアルタイム画像の表示を停止する停止手段とを備えることを特徴とするカメラ。
【請求項８】
請求項７に記載のカメラにおいて、
前記撮像素子への被写体光の入射量を制御するシャッタをさらに備え、
前記停止手段は、前記シャッタにより前記被写体光の前記撮像素子への入射を中断して前記リアルタイム画像の表示を停止することを特徴とするカメラ。
【請求項９】
請求項７または８に記載のカメラにおいて、
前記停止手段は、前記表示器の画面を消灯して前記リアルタイム画像の表示を停止することを特徴とするカメラ。
【請求項１０】
請求項７乃至９のいずれか１項に記載のカメラにおいて、
前記物理量が前記第１の所定条件を満たしたとき、前記リアルタイム画像の表示が停止されることを警告する警告手段をさらに備えることを特徴とするカメラ。
【請求項１１】
請求項７乃至９のいずれか１項に記載のカメラにおいて、
前記指示手段は、レリーズボタンの全押し操作により前記表示器によるリアルタイム画像の表示を指示することを特徴とするカメラ。
【請求項１２】
請求項１１に記載のカメラにおいて、
前記レリーズボタンが半押し操作され、前記検出器により検出された前記物理量が第２の所定条件を満たしたときは、前記停止手段は、前記レリーズボタンの全押しによる前記表示器のリアルタイム画像表示を禁止する。
【請求項１３】
請求項１２に記載のカメラにおいて、
前記レリーズボタンが半押し操作され、前記検出器により検出された前記物理量が第２の所定条件を満たしたとき、前記レリーズボタンを全押ししても前記表示器にリアルタイム画像が表示されない旨の警告を行う警告手段をさらに備えるカメラ。
【請求項１４】
請求項１３に記載のカメラにおいて、
前記警告手段は、前記物理量が前記第１の所定条件を満たしたとき、前記リアルタイム画像の表示が停止されることを警告する。
【請求項１５】
請求項１２乃至１４のいずれか１項に記載のカメラにおいて、
前記検出器は前記撮像素子周辺の温度を検出する温度センサであり、
前記第１の所定条件は前記温度が第１閾値以上である条件であり、前記第２の所定条件は前記温度が前記第１閾値より低い温度の第２閾値以上である条件である。
【発明の詳細な説明】
【技術分野】
【０００１】
本発明は、撮像素子で被写体を撮像するカメラに関する。
【背景技術】
【０００２】
撮像素子の温度上昇のために生じる暗電流によって、撮影画像の画質が劣化することが知られている。下記特許文献１には、長時間露光の露光時間を制限して画質劣化を防止するものが開示されている。
【特許文献１】特開２００１−７８０８４号公報
【発明の開示】
【発明が解決しようとする課題】
【０００３】
しかし、連続して撮像を繰り返すことによっても撮像素子やその駆動部、画像処理部等での処理により多くの熱が発生する。また、カメラの高速化、撮像素子の高画素化に伴い、撮像素子やその駆動部、画像処理部等での処理により発生する熱が増加する。特に、高画素の撮像素子によって長時間連続して撮像を繰り返す撮像装置においては、撮像素子およびその周辺回路が高熱となり、撮像画像の画質劣化が生じているにも関わらず動作を継続するという問題がある。
【課題を解決するための手段】
【０００４】
（１）請求項１の発明によるカメラは、撮像素子で撮像するとき、撮像素子周辺の温度と相関関係のある物理量を検出する検出手段と、検出手段により検出された物理量が所定条件を満たしたとき、撮像素子や周辺回路の温度上昇を抑制するようにカメラの動作を変更する変更手段とを備えることを特徴とする。
（２）請求項２の発明は、請求項１に記載のカメラにおいて、撮像素子によるリアルタイム画像を表示する表示器をさらに備え、物理量が所定条件を満たすまでは表示器にリアルタイム画像を表示し、変更手段は、物理量が所定条件を満たしたとき、または物理量が所定条件を満たした後の所定時間経過後に、表示器のリアルタイム画像の表示を停止することを特徴とする。
（３）請求項３の発明は、請求項２に記載のカメラにおいて、撮像素子への被写体光の入射量を制御するシャッタをさらに備え、変更手段は、シャッタにより被写体光の撮像素子への入射を中断してリアルタイム画像の表示を停止することを特徴とする。
（４）請求項４の発明は、請求項２に記載のカメラにおいて、変更手段は、表示器の画面を消灯してリアルタイム画像の表示を停止することを特徴とする。
（５）請求項５の発明は、請求項１乃至４のいずれか一項に記載のカメラにおいて、変更手段は、撮像素子による撮像のフレームレートを下げることを特徴とする。
（６）請求項６の発明は、請求項１乃至５のいずれか一項に記載のカメラにおいて、物理量が所定条件を満たしたとき、カメラの動作が変更されることを警告する警告手段をさらに備えることを特徴とする。
（７）請求項７の発明によるカメラは、撮像素子による撮像開始を指示する指示手段と、撮像開始に伴い撮像素子によるリアルタイム画像を表示する表示器と、撮像素子周辺の温度と相関関係のある物理量を検出する検出手段と、指示手段により撮像開始が指示され、検出手段により検出された物理量が第１の所定条件を満たしたとき、または物理量が所定条件を満たした後の所定時間経過後に、表示器によるリアルタイム画像の表示を停止する停止手段とを備えることを特徴とする。
（８）請求項８の発明は、請求項７に記載のカメラにおいて、撮像素子への被写体光の入射量を制御するシャッタをさらに備え、停止手段は、シャッタにより被写体光の撮像素子への入射を中断してリアルタイム画像の表示を停止することを特徴とする。
（９）請求項９の発明は、請求項７または８に記載のカメラにおいて、停止手段は、表示器の画面を消灯してリアルタイム画像の表示を停止することを特徴とする。
（１０）請求項１０の発明は、請求項７乃至９のいずれか１項に記載のカメラにおいて、物理量が第１の所定条件を満たしたとき、リアルタイム画像の表示が停止されることを警告する警告手段をさらに備えることを特徴とする。
（１１）請求項１１の発明は、請求項７乃至９のいずれか１項に記載のカメラにおいて、  指示手段は、レリーズボタンの全押し操作により表示器によるリアルタイム画像の表示を指示することを特徴とする。
（１２）請求項１２の発明は、請求項１１に記載のカメラにおいて、レリーズボタンが半押し操作され、検出器により検出された物理量が第２の所定条件を満たしたときは、停止手段は、レリーズボタンの全押しによる表示器のリアルタイム画像表示を禁止することを特徴とする。
（１３）請求項１３の発明は、請求項１２に記載のカメラにおいて、レリーズボタンが半押し操作され、検出器により検出された物理量が第２の所定条件を満たしたとき、レリーズボタンを全押ししても表示器にリアルタイム画像が表示されない旨の警告を行う警告手段をさらに備えることを特徴とする。
（１４）請求項１４の発明は、請求項１３に記載のカメラにおいて、警告手段は、物理量が第１の所定条件を満たしたとき、リアルタイム画像の表示が停止されることを警告することを特徴とする。
（１５）請求項１５の発明は、請求項１２乃至１４のいずれか１項に記載のカメラにおいて、検出器は撮像素子周辺の温度を検出する温度センサであり、第１の所定条件は温度が第１閾値以上である条件であり、第２の所定条件は温度が第１閾値より低い温度の第２閾値以上である条件であることを特徴とする。
【発明の効果】
【０００５】
本発明のカメラによれば、撮像素子周辺の温度と相関関係のある物理量が所定条件を満たす場合にカメラの動作を変更するようにしたので、撮像素子や周辺回路が不所望に高温になることを防ぐことができる。
請求項７〜請求項１５の発明のカメラによれば、撮像素子周辺の温度と相関関係のある物理量が所定条件を満たす場合にリアルタイム画像の表示を停止するようにしたので、暗電流ノイズが重畳したリアルタイム画像の表示が防止される。
【発明を実施するための最良の形態】
【０００６】
以下で説明する実施の形態の一眼レフカメラでは、静止画撮影モードおよび動画撮影モード時において、カメラの背面液晶表示器に被写体像をリアルタイムで撮影した画像を表示することができる。以下の説明で、静止画撮影モードのリアルタイム画像をスルー画と呼び、動画撮影モード時のリアルタイム画像を動画と呼ぶ。スルー画および動画は、それぞれスルー画モードと動画モードをユーザが設定し、さらに、レリーズボタンを全押ししたときに表示される。
【０００７】
撮像素子２１の近傍の温度が高くなると撮像素子の暗電流成分が増加し、背面液晶表示器の画面上のリアルタイム画像にノイズ成分が重畳する場合がある。この実施の形態のカメラでは、レリーズボタン全押し操作後にリアルタイム画像を表示しているとき、撮像素子２１の近傍の温度が第１閾値以上になると、所定時間経過後にシャッタを閉じて被写体像の撮像を中止し、リアルタイム画像の表示を中止する。また、レリーズボタンが半押し操作され、リアルタイム画像が背面液晶にまだ表示されていないとき、撮像素子２１の近傍の温度が第１閾値よりも低い温度である第２閾値以上になると、その後にレリーズボタンが全押しされてもリアルタイム画像の表示を禁止するようにし、その旨を警告表示する。
【０００８】
以下、図面を参照して本発明に電子カメラの一実施の形態を説明する。
本発明によるカメラの一実施の形態を、図１に示す電子カメラの要部構成を説明する縦断面図と、図２に示すブロック図とを用いて説明する。
【０００９】
図１に示す電子カメラ１には、撮影レンズ２を備えるレンズ鏡筒４がマウント３を介して着脱可能に装着されている。レンズ鏡筒４内には、レンズ群５から成る撮影レンズ２や絞り６などが設けられている。レンズ群５はモータ、連結ギヤおよびカップリングで構成されるレンズ駆動装置１８により駆動される。
【００１０】
電子カメラ１の内部には、被写体を撮像するための撮像素子２１が設けられている。撮像素子２１としてＣＣＤやＣＭＯＳ等が使用される。撮影レンズ２と撮像素子２１との間には、撮影レンズ２を通過した被写体光をファインダ光学系へと反射する可動ミラー７が配設されている。被写体光の一部は可動ミラー７の半透過領域を透過し、サブミラー１６にて下方に反射され、焦点検出用センサ１７へ入射される。
【００１１】
カメラは中央演算装置と各種構成要素を備えている。図２に示すように、マイクロプロセッサ（ＭＰＵ）１０１はタイミング回路１０４を介して撮像素子２１に接続されている。撮像素子２１にはアナログ／デジタル（Ａ／Ｄ）変換器１０３が接続され、Ａ／Ｄ変換器１０３には、画像処理制御回路１０５が接続されている。画像処理制御回路１０５は、ＭＰＵ１０１と接続されるとともに、ＳＤＲＡＭ１０６と画像記録媒体１０７に接続されている。ＭＰＵ１０１には、背面液晶表示器制御回路１０９と、設定操作部材１１０と、表示装置１１１と、測光回路１１２が接続されている。ＭＰＵ１０１には、露出制御回路１１３が接続され、露出制御回路１１３にはシャッタ制御回路１１４と絞り制御回路１１５とが接続されている。さらにＭＰＵ１０１には、レンズ情報入力回路１１６と、図２の焦点検出センサ１７に設けられる焦点検出回路１１７と、レンズ駆動回路１１８と、モード設定回路１１９と、半押しスイッチ１２０と、全押しスイッチ１２１とが接続されている。
【００１２】
被写体は焦点検出用センサ１７により光電変換され、図２の焦点検出回路１１７の図示しないＡ／Ｄ変換器によりＡ／Ｄ変換された後、ＭＰＵ１０１へ入力される。
【００１３】
可動ミラー７で反射された被写体光は、撮像素子２１と光学的に等価な位置に設けられたフォーカシングスクリーン８上に結像する。フォーカシングスクリーン８上に結像された被写体像は、ペンタプリズム９から接眼レンズ１０、１１、１２を介して撮影者に観察されるとともに、ペンタプリズム９から測光レンズ１３を介して測光センサ１４の受光面上に結像する。ファインダ内表示用液晶１５は、図示しない液晶駆動回路により駆動され、ファインダ画面外下部に撮影に関する露出制御値や露出モード、露出補正値などの撮影に関する種々の情報を表示する。
【００１４】
撮影の際には可動ミラー７が被写体光の光路上から光路外へと移動し、撮像素子２１上に被写体像が結像する。撮像素子２１の直前には、シャッター１９およびローパスフィルタ２０が設けられている。また、撮像素子２１の後方には、撮像基板２２が配置され、撮像基板２２上に、撮像素子２１を駆動するための上述のタイミング回路１０４、Ａ／Ｄ変換回路１０３、ＡＳＩＣなどで構成される画像処理制御回路１０５、撮像素子２１周辺の温度を測定する温度センサ１０８などが備えられている。温度センサ１０８は、撮像素子２１周辺の温度に応じて変化する値（物理量）を検出する。
【００１５】
図２に示すＭＰＵ１０１はＣＰＵ、ＲＯＭ、ＲＡＭおよび各種周辺回路から構成され、電子カメラ１の制御を行なうマイクロコンピュータである。タイミング回路１０４は、ＭＰＵ１０１から送出される指令に応じて駆動信号を出力し、撮像素子２１およびＡ／Ｄ変換回路１０３のそれぞれを所定のタイミングで駆動させる。撮像素子２１は駆動信号を入力すると、撮像面に結像された被写体像に対応する信号電荷の蓄積および蓄積電荷の掃き出しを行なう。Ａ／Ｄ変換回路１０３は、撮像素子２１から出力されたアナログ撮像信号をデジタル画像信号に変換する。
【００１６】
画像処理制御回路１０５では、入力されたデジタル画像信号に対して、ホワイトバランス調整、シャープネス調整、ガンマ補正、階調調整などの画像処理が施され画像データとして出力される。この画像データは、ＪＰＥＧ形式などの方式により圧縮された後、ＳＤＲＡＭ１０６に一時的に格納されたり、画像用記録媒体１０７にＥＸＩＦなどのファイル形式で記録されるとともに、背面液晶モニタ制御回路１０９の制御により、図1の背面液晶モニタ２３に表示される。
【００１７】
測光回路１１２は、図１の測光センサ１４から得られた測光信号をＡ／Ｄ変換してＭＰＵ１０１へ出力する。デジタル変換された測光信号は露出制御回路１１３へ入力され、被写体の輝度および撮像感度に基づいてシャッタスピードと撮影レンズ２の絞り値が演算され、演算結果がシャッタ制御部１１４と絞り制御部１１５へ出力されてシャッタスピードと絞り値が制御される。
【００１８】
レンズ駆動回路１１８は、レンズ情報入力回路１１６を介して入力された撮影レンズ２の開放絞り値、焦点距離、射出瞳などのレンズ情報と、焦点検出回路１１７より得られた焦点調節状態とに基づいて、レンズを駆動させるレンズ駆動信号を生成してレンズ駆動装置１８へ出力する。
【００１９】
半押しスイッチ１２０はレリーズボタンの第一ストロークに連動してオン信号をＭＰＵ１０１へ出力し、全押しスイッチ１２１はレリーズボタンの第二のストロークに連動してオン信号をＭＰＵ１０１へ出力する。
【００２０】
モード設定回路１１９は、電子カメラ１の各種モードの設定、たとえば、撮影モードとして単写モードや連写モード（これらは静止画モードである）、動画モードの設定、スルー画モードの設定や、露出モードとしてＭ（マニュアル）モードやＡ（絞り優先）モード、Ｐ（プログラム）モード、Ｓ（シャッタスピード優先）モードなどの設定を行なう。これら各種モードの設定操作は設定操作部材１１０の設定操作により行われる。設定操作部材１１０は、各種設定操作を行なう操作スイッチであり、設定内容に応じた操作信号がＭＰＵ１０１へ出力される。なお、スルー画モードは、画像を背面液晶モニタ２３に表示するが、撮影記録処理を行わず、スタジオ等で物品を撮影する際のピント合わせ等を行なう場合などに用いられるモードである。
【００２１】
モード設定回路１１９により、スルー画モードに設定され、全押しスイッチ１２１よりオン信号が入力されると、ＭＰＵ１０１は、可動ミラー７をアップして、前述の撮像素子２１による電荷蓄積から背面液晶モニタ２３上への画像表示までの動作を、たとえば、１秒間に１５回以上行なえるように制御する。すなわち、フレームレートが１５ｆｐｓ以上でスルー画像がリアルタイム像として背面液晶モニタ２３に表示される。
【００２２】
温度センサ１０８は、撮像素子２１周辺の温度測定を常時行い、測定結果をＭＰＵ１０１へ出力する。ＭＰＵ１０１は、温度センサ１０８から入力された撮像素子２１の温度ｔと、予め設定された第１閾値ｔｃおよび第２閾値ｔｃ-Δｔとの比較を行なう。
【００２３】
ここで、第２閾値ｔｃ−Δｔは第１閾値ｔｃより僅かに小さい値であり、温度センサ１０８で検出した温度ｔが第２閾値ｔｃ−Δｔ以上になると第２制御が行われる。第２制御は、検出温度ｔｃが第１閾値ｔｃ以上で行われる第１制御とは異なる制御である。
【００２４】
第１制御ではカメラは次のように動作する。撮像素子２１や撮像基板２２から発生する熱により、撮像素子２１周辺の温度ｔが第１閾値ｔｃ以上になると、背面液晶モニタ２３に警告表示を行ない、所定時間、たとえば１５秒経過後に背面液晶モニタ２３上の画像表示を終了する。図３には、警告表示の一例として、背面液晶モニタ２３の左上に、画像表示を終了するまでの残り時間として「１５秒」と表示する場合を示す。
【００２５】
なお、警告表示は画像表示終了までの残り時間を表示するものではなく、「高温のため表示を終了します」などの警告文を表示して、スルー画表示を終了するものであってもよい。
また、第１閾値ｔｃは、撮像素子２１周辺の温度と、これにより生じた暗電流によって背面液晶モニタ２３の表示画像に表れるノイズの状態とに基づいて決定される値である。
【００２６】
第１制御ではカメラは次のように動作する。撮像素子２１周辺の温度ｔが第２閾値ｔｃ-Δｔ以上になると、全押し操作されてもスルー画および動画の表示を禁止する。警告表示として背面液晶モニタ２３に「全押しされてもスルー画または動画は表示されません」などの表示を行う。
【００２７】
以上で説明した実施の形態における電子カメラ１の動作について、図４に示すフローチャートを用いて説明する。図４の各処理を行なうプログラムはＭＰＵ１０１内のＲＯＭ（不図示）に格納されており、カメラの電源からオン信号がＭＰＵ１０１に入力されると起動される。
【００２８】
ステップＳ１において、スルー画モードまたは動画モードが選択されている否かを判定する。スルー画モードまたは動画モードが選択されている場合はステップＳ１が肯定判定されてステップＳ３へ進み、単写モードまたは連写モードが選択されている場合はステップＳ１が否定判定されてステップＳ２へ進む。ステップＳ２において、レリーズボタンの全押し操作に応じて、撮像素子２１による被写体像に対応する電荷蓄積および掃き出し、画像処理制御回路１０５による前述の画像処理、画像処理の施された画像データの画像用記録媒体１０７への記録などの撮影記録処理を行ない、一連の動作を終了する。
【００２９】
ステップＳ３において、レリーズボタンが半押しか否かを判定する。半押しスイッチ１２０からオン信号が入力されている場合はステップＳ３が肯定判定されて、ステップＳ４へ進む。半押しスイッチ１２０からオン信号を入力していない場合はステップＳ３が否定判定され、半押しスイッチ１２０からオン信号が入力されるまで待機する。
【００３０】
ステップＳ４において、撮像素子２１の温度ｔが閾値ｔｃ−Δｔ未満であるか否かを判定する。温度ｔが閾値ｔｃ−Δｔ未満である場合はステップＳ４が肯定判定されてステップＳ６へ進み、閾値ｔｃ−Δｔ以上である場合はステップＳ４が否定判定されてステップＳ５へ進む。ステップＳ５において、背面液晶モニタ２３に「全押しされてもスルー画または動画は表示されません」などの警告文の表示を行い、以後の全ての処理をスキップして一連の動作を終了する。したがって、全押し操作によるスルー画や動画の表示が禁止される。
【００３１】
ステップＳ６において、露出モードがＭ（マニュアル）モードまたはＡ（絞り優先）モードであるか否を判定する。Ｍ（マニュアル）モードかＡ（絞り優先）モードが選択されている場合は、ステップＳ６が肯定判定されてステップＳ７へ進む。Ｐ（プログラム）モードかＳ（シャッタスピード優先）モードが選択されている場合はステップＳ６が否定判定され、ステップＳ７をスキップしてステップＳ８へ進む。
【００３２】
ステップＳ７において、設定絞り値ＡＶを制御絞り値ＡＶｃとしてステップＳ８へ進む。制御絞り値ＡＶｃは、ユーザにより手動設定され、あるいは、絞り優先モードに基づいて設定される。ステップＳ８において、測光および露出演算を行い、設定絞り値ＡＶに基づいて撮像感度ＳＶとシャッタスピードＴＶとを決定してステップＳ９へ進む。
【００３３】
ステップＳ９において、レリーズボタンが全押しされたか否かを判定する。全押しスイッチ１２１からオン信号が入力された場合は、ステップＳ９が肯定判定されてステップＳ１１へ進む。全押しスイッチ１２１からオン信号が入力されていない場合は、ステップＳ９が否定判定されてステップＳ１０へ進む。
【００３４】
ステップＳ１０において、ステップＳ１と同様にしてレリーズボタンの半押し判定を行う。半押しスイッチ１２０からオン信号が入力された場合は、ステップＳ１０が肯定判定されステップＳ９へ戻る。半押しスイッチ１２０からオン信号が入力されていない場合は、ステップＳ１０が否定判定され以後の全ての処理をスキップして一連の動作を終了する。
【００３５】
ステップＳ１１において、不図示のシーケンス回路により、可動ミラー７をミラーアップ位置まで駆動させる。さらに絞り制御部１１５により絞り６を制御絞り値ＡＶｃへの絞り込みを行い、ステップＳ１２へ進む。ステップＳ１２において、シャッタ制御部１１４により、シャッタ１９の先幕の保持が解除され、先幕が走行して全開状態となる。
【００３６】
続いて進んだステップＳ１３においては、撮像素子２２により電荷の蓄積を開始してステップＳ１４へ進む。ステップＳ１４において、撮像素子２２に蓄積された電荷の読出しと転送とを行ないステップＳ１５へ進む。ステップＳ１５において、画像処理制御回路１０５により、撮像素子２２からの出力信号に基づいて前述の画像処理を施してステップＳ１６へ進む。
【００３７】
ステップＳ１６において、背面液晶制御回路１０９により、ステップＳ１５において画像処理の施された画像を背面液晶モニタ２３に表示して、ステップＳ１７へ進む。ステップＳ１７において、動画モードが選択されているか否かを判定する。動画モードが選択されている場合はステップＳ１７が肯定判定されてステップＳ１８へ進む。スルー画モードが選択されている場合はステップＳ１７が否定判定されて、ステップＳ１８をスキップしてステップＳ１９へ進む。ステップＳ１８においては、画像データを圧縮処理してから画像用記録媒体１０７に記録してステップＳ１９へ進む。
【００３８】
ステップＳ１９において、温度センサ１０８により検出された撮像素子２１周辺の温度ｔが、所定温度ｔｃ以上であるか否かを判定する。ｔ≧ｔｃである場合はステップＳ１９が肯定判定されて、不図示のタイマを起動してステップＳ２１へ進む。ｔ＜ｔｃである場合は、ステップＳ１９が否定判定されてステップＳ２０へ進む。
【００３９】
ステップＳ２０において、レリーズボタンの全押し判定を行う。全押しスイッチからオン信号が入力されている場合はステップＳ２０が否定判定されてステップＳ１３へ戻り、全押しスイッチからオン信号が入力されていない場合はステップＳ２０が肯定判定されて、後述のステップＳ２１およびステップＳ２２をスキップしてステップＳ２４へ進む。すなわち、２回目の全押し操作によりスルー画モードおよび動画モードが終了する。
【００４０】
ステップＳ２１においては、背面液晶モニタ２３に図３に示すような警告表示をしてステップＳ２２へ進む。ステップＳ２２において、ステップＳ１９が肯定判定された際に起動したタイマによる計測時間が、所定時間を超えたか否かを判定する。所定時間を超えた場合はステップＳ２２が肯定判定されてステップＳ２４へ進み、所定時間以内である場合はステップＳ２２が否定判定されてステップＳ２３へ進む。
【００４１】
ステップＳ２３において、ステップＳ２０と同様にレリーズボタンの全押し判定を行う。全押しスイッチからオン信号が入力されている場合はステップＳ２３が否定判定されてステップＳ１３へ戻る。全押しスイッチからオン信号が入力されていない場は、ステップＳ２３が肯定判定されてステップＳ２４へ進む。
【００４２】
ステップＳ２４において、シャッタ制御部１１４により、シャッタ１９の後幕の保持が解除されて、後幕が走行しシャッタ１９を閉じる。ステップＳ２５においては、不図示のシーケンス回路により、可動ミラー７をダウンさせる。さらに絞り制御部１１５により絞り６のリセットを開始して、ステップＳ２６へ進む。ステップＳ２６において、シャッタチャージが行なわれて一連の動作を終了する。
【００４３】
以上で説明した実施の形態によると以下の作用効果が得られる。
（１）スルー画や動画などのリアルタイム画像を背面液晶モニタ２３へ表示中に、撮像素子２１周辺で常時検出される温度ｔが閾値ｔｃ以上という条件を満たした場合は、所定時間経過後に、撮像素子２１や周辺回路の温度上昇を抑制するようにカメラの動作を変更して、すなわちシャッタ後幕を走行させて被写体光の撮像素子２１への入射を遮断してリアルタイム画像表示を停止するようにした。詳しくは、撮像素子２１への被写体光の入射が中止され、撮像素子２１の電荷蓄積がほとんど行われないので、背面液晶表示器２３には黒画面像が表示される。したがって、撮像素子や周辺回路が不所望に高温になることを防ぐことができる。また、発熱により劣化した映像が背面液晶モニタ２３に表示されることが防止される。
【００４４】
（２）さらに、背面液晶モニタ２３に警告表示を行なってから所定時間経過後に、リアルタイム画像表示を終了するようにした。したがって、警告表示前は暗電流によるノイズの影響が顕著に現れていないので、背面液晶モニタ２３の画像を見たり、画像を部分拡大しながら構図確認や被写体深度の確認を行なうことができ、警告表示後は撮影者がスルー画表示が可能な残り時間を把握することができるので、利便性が向上する。
【００４５】
（３）レリーズボタンの半押し操作を行なった時点、すなわち撮像素子２１による撮像の準備動作が指示された時点において、撮像素子２１周辺の温度ｔが前述の第１閾値ｔｃより低い第２閾値であるｔｃ−Δｔ以上であるという条件を満たした場合は、警告表示を行った後にリアルタイム画像表示を禁止するようにした。したがって、リアルタイム画像表示を開始した直後にリアルタイム画像表示を終了するということがなくなり、電子カメラ１に故障が発生したというような誤解を撮影者が抱くことを防ぐことができる。
【００４６】
以上で説明した実施の形態における電子カメラを以下のように変形することができる。
（１）背面液晶モニタ２３に警告表示を行なった後に、スルー画表示および動画表示のフレームレートを下げるようにしてもよい。この場合の動作を図５のフローチャートに示す。実施の形態の説明と同様にして進んだステップＳ２３が否定判定された場合に、ステップＳ３０へ進む。ステップＳ３０において、フレームレートを、たとえば１５ｆｐｓから１０ｆｐｓなどに設定してステップＳ１３へ戻る。
【００４７】
（２）温度センサ１０８で検出した温度ｔが第１閾値ｔｃ以上になってから警告表示を行なうとともに、所定時間経過後にシャッタ後幕を走行させて撮像素子への被写体光の入射を中断して、スルー画や動画の表示を停止するものとして説明した。これに代えて、温度ｔが第１閾値ｔｃ以上になった直後にシャッタ後幕を走行させてスルー画表示や動画の表示を停止してもよい。この場合、撮影者が確認可能な程度の短時間だけ警告表示を行なってからスルー画表示や動画の表示を終了し、警告表示は残り時間を表示することなく、「高温のため表示を終了します」などの警告文を表示する。
【００４８】
（３）実施の形態の説明においては、温度センサ１０８で検出した温度ｔが第１閾値ｔｃ以上になってから、スルー画表示や動画表示が終了するまでの残り時間を警告として背面液晶モニタ２３に表示するものとしたが、動作開始時に検出した温度ｔに基づいてスルー画や動画の表示可能な時間を最初から警告として表示するものであってもよい。この場合、撮影者はスルー画や動画の表示開始直後からスルー画や動画の表示可能な時間を把握することができるので、利便性が向上する。
【００４９】
（４）温度センサ１０８を撮像素子２１の後方に配置された撮像基板２２に実装するものとして説明したが、撮像素子２１の温度が測定可能であれば、撮像素子２１に温度センサ１０８を取り付けてもよいし、画像処理制御回路１０５に取り付けてもよい。もしくは、撮像素子２１や画像処理制御回路１０５とは別に設けてもよい。
【００５０】
（５）実施の形態の説明においては、温度センサ１０８で電子カメラ１の内部の温度を測定するものとしたが、電子カメラ１の外気温を測定する温度センサを設け、外気温に応じてスルー画表示が可能な時間を変更できるようにしてもよい。この場合、外気温が低温の場合は、スルー画や動画の表示が可能な時間を長く、外気温が高温の場合はスルー画や動画の表示が可能な時間を短く設定することができる。
【００５１】
（６）上述の（５）において、外気温を測定する温度センサを設ける代わりに、ＧＰＳ（Ｇｌｏｂａｌ  Ｐｏｓｉｔｉｏｎｉｎｇ  Ｓｙｓｔｅｍ）の情報を取得して、得られた地域情報から外気温を推定するものであってもよい。この場合、月日時間も併用するのがより好ましい。
【００５２】
（７）温度センサ１０８により撮像素子２１周辺の温度を検出するものとして説明したが、暗電流の原因となる温度と相関関係のある物理量を検出する方式ならどのようなものでもよい。
【００５３】
（８）背面液晶モニタ２３の表示動作を停止してノイズの重畳した目障りな映像の表示を抑制してもよい。併せて、撮像素子２１や画像処理回路１０５の動作を中断してもよい。
【００５４】
（９）実施の形態の説明においては、警告の報知を背面液晶モニタ２３に表示するものとしたが、スピーカなどを設けて音声による警告を行なうものであってもよい。
【００５５】
（１０）レンズ鏡筒４の交換可能な電子カメラとして説明したが、レンズ一体型の電子カメラでもよい。この場合、カメラの電源スイッチが投入されると、レリーズボタンが操作されなくても背面液晶表示器の画面にスルー画を表示する。長時間の間、スルー画表示を継続し、暗電流ノイズが重畳するほどに撮像素子周辺温度が上昇した場合、上記実施の形態と同様に、検出温度が第１閾値以上になるとスルー画表示を中止する。なお、電源スイッチオンによりスルー画を表示するようにしているので、レンズ一体型電子カメラでは、第２閾値を設定する必要がない。動画モードが設定されているときも、スルー画表示中と同様に、暗電流ノイズが重畳するほどに撮像素子周辺温度が上昇するとスルー画表示を中止する。
【００５６】
また、本発明の特徴を損なわない限り、本発明は上記実施の形態に限定されるものではなく、本発明の技術的思想の範囲内で考えられるその他の形態についても、本発明の範囲内に含まれる。
【図面の簡単な説明】
【００５７】
【図１】本発明の実施の形態による電子カメラの要部構成を説明する縦断面図である。
【図２】本発明の実施の形態による電子カメラのシステム構成を説明する図である。
【図３】実施の形態の電子カメラにおける背面液晶モニタ上の警告表示の一例を説明する図である。
【図４】実施の形態の電子カメラにおける動作を説明するフローチャートである。
【図５】本発明の電子カメラにおいて警告表示後にフレームレートを下げる場合の動作を説明するフローチャートである。
【符号の説明】
【００５８】
２１    撮像素子          ２３    背面液晶モニタ
１０１  ＭＰＵ            １０８  温度センサ
１１９  モード設定回路
【図１】
2007300607.tif 000003
【図２】
2007300607.tif 000004
【図３】
2007300607.tif 000005
【図４】
2007300607.tif 000006
【図５】
2007300607.tif 000007